(57)【要約】      （修正有）【課題】保温カップと非保温カップを見分けることができるコーヒーポットを提供する。【解決手段】コーヒーポットは少なくとも、支え装置と、入れ装置と、加熱装置と、磁石あり保温カップと、磁気感知装置と制御装置を具備する。前記支え装置は一つのカップの支える役を果たし、入れ装置は前記支え装置のうえに整備され、コーヒー入れに使われる。加熱装置は前記入れ装置に必要の湯を提供して、それに選択的に前記支え装置の支えているカップに加熱させる。磁石あり保温カップは可分解的に前記支え装置に設置される。磁気感知装置は前記支え装置の支えているカップの磁気の存在を感知し、前記カップは磁石のあり保温カップかどうかを判断する。制御装置は磁気感知装置と、加熱装置と接続して、磁気感知装置の感知結果によって、前記加熱装置は前記支え装置の支えている前記カップに加熱するかどうかをコントロールする。【選択図】図１Ａ
0003145599.tif 000002
【実用新案登録請求の範囲】
【請求項１】
コーヒーポットには少なくとも、
一つのカップの支える役をはたす一支え装置と、
前記支え装置の上に整備されて、コーヒー入れに役を果たす一入れ装置と、
コーヒーをいれる時に、前記入れ装置に必要の湯を提供する役を果たし、選択的に支え装置の支えているカップに加熱させる一加熱装置と、
可分解的に前記支え装置に設置され、磁石のあり一保温カップと、
前記保温カップの磁気の存在を感知する役を果たす一磁気感知装置と、
感知結果によって、前記加熱装置は前記支え装置の支えている前記カップに加熱するかどうかをコントロールし、磁気感知装置と、それに加熱装置と接続する一制御装置がある、コーヒーポット。
【請求項２】
さらに少なくとも、磁石を持たなく、保温することができない一非保温カップは可分解的に前記支え装置に設置されるようにしたことを特徴とする、請求項１記載のコーヒーポット。
【請求項３】
前記支え装置のなかに配置され、前記カップを支える役を果たす一つの保温板があるようにしたことを特徴とする、請求項２記載のコーヒーポット。
【請求項４】
前記加熱装置は前記保温板の下に配置されるようにしたことを特徴とする、請求項３記載のコーヒーポット。
【請求項５】
前記支え装置のなかに配置され、前記カップの放置する役を果たす一つの空き間がある、空き間の開口の幅はほぼ１／２〜２／３円周であるようにしたことを特徴とする、請求項４記載のコーヒーポット。
【請求項６】
前記加熱装置は前期支え装置の中に設置されるようにしたことを特徴とする、請求項２記載のコーヒーポット。
【請求項７】
前記磁石はアーク型であるようにしたことを特徴とする、請求項１あるいは請求項２あるいは請求項３あるいは請求項４あるいは請求項５あるいは請求項６記載のコーヒーポット。
【請求項８】
前記アーク状磁石の弧長はほぼ１／２〜２／３円周であるようにしたことを特徴とする、請求項７記載のコーヒーポット。
【請求項９】
前記加熱装置のそばに一つのサーモスタットが設置されるようにしたことを特徴とする、請求項８記載のコーヒーポット。
【請求項１０】
前記磁石はリング状であるようにしたことを特徴とする、請求項７記載のコーヒーポット。
【考案の詳細な説明】
【技術分野】
【０００１】
本考案はコーヒーポットに関する、とくに自動的に保温カップと非保温カップを見分けることができるコーヒーポットに関するものである。非保温カップには熱を提供して、予定された時間に一番いい温度を保持するが、保温カップには保温性能があるので、自動的に加熱装置の電源を切ることができる。
【背景技術】
【０００２】
コーヒーポットにはふつうコーヒーの入れる役をはたす本体と、コーヒーの装う役を果たすカップがある。そのなかで、カップはだいたい保温カップと非保温カップの二種類に分けている。保温カップを使って、コーヒーを入れるとき、保温カップにはもともと保温性能があるので、わざわざと保温カップに熱を提供して、カップ中にあるコーヒーの温度を保持する必要はない。非保温カップを使ってコーヒーを入れるとき、非保温カップには保温性能がないので、このとき、保温カップに追加の熱を提供して、カップ中にあるコーヒーの温度を保持する必要はある。
【０００３】
ＵＳ６２７９４５９には、保温カップと非保温カップを見分ける性能の持つコーヒーポットが掲載され、使用者はいったんカップをコーヒーポットに放置すれば、放置されたカップは保温カップか、非保温カップか自動的に見分けられることができ、そして、コーヒーポットはカップに入れたコーヒーを加熱するかどうか自動的に決定する。このようなカップを見分けることができるコーヒーポットは伝統的なコーヒーポットと比べると、操作するのは便利で、コンシューマーに大人気がある。
【０００４】
しかし、このようなカップを見分ける性能があるコーヒーポットには別々二つの加熱システムが設置される必要がある。それぞれコーヒー入れに必要の湯と、非保温カップに装われたコーヒーを加熱する。よって、コストはだいぶ増えていく。そのほかに、カップの見かけによって、コーヒーポットは保温カップと非保温カップを見分ける性能を達成し、それは機械的な接触感知する方法で、コーヒーポットには機械的な接触感知装置を設置するのは必要であることによって、コーヒーポット洗いにも不便、コーヒーポットの見かけにも影響を及ぼす。コンシューマーに洗うことの不便を与えるうえに、コンシューマーの実際的な希望にも満足できない。
【考案の開示】
【０００５】
本考案の目的は、一種のコーヒーポットを提供し、従来技術のカップを見分けることができるコーヒーポットでコストは高い、洗い不便、そして見かけの不足を解決することである。
【０００６】
本考案の目的を実現するために、コーヒーポットには少なくとも、支え装置と、入れ装置と、加熱装置と、磁石のあり保温カップと、磁気感知装置と制御装置を具備される。そのなかに、前記支え装置は一つのカップを支える役を果たす。入れ装置は前記支え装置のうえに整備されて、コーヒー入れに使われる。加熱装置は前記入れ装置に必要の湯を提供して、それに選択的に前記支え装置の支えるカップに加熱する。磁石のあり保温カップは可分解的に前記支え装置に設置される。磁気感知装置は前記保温カップの磁気の存在を感知することができて、前期カップは磁石のあり保温カップかどうかを判断する。制御装置は磁気感知装置と、加熱装置と接続して、そのなかに、制御装置は磁気感知装置の感知結果によって、前記加熱装置は前記支え装置の支える前記カップに加熱するかどうかをコントロールし、前記支え装置の支える前記カップは磁石のあり保温カップである場合には、前記加熱装置は前記支え装置の支える前記カップに加熱しない。
【０００７】
本考案の一つの好ましい実施例によると、さらに少なくとも、一つの磁気を持たない非保温カップは可分解的に前記支え装置に設置される。
【０００８】
本考案の一つの好ましい実施例によると、前記支え装置のなかに配置され、前記カップを支える役を果たす保温板がある。
【０００９】
本考案の一つの好ましい実施例によると、前記加熱装置は前記保温板の下に配置される。
【００１０】
本考案の一つの好ましい実施例によると、前記支え装置の中に配置され、前期カップの放置する役を果たす一つの空き間がある、空き間の開口の幅はほぼ１／２〜２／３円周である。
【００１１】
本考案の一つの好ましい実施例によると、前記加熱装置は前期支え装置の中に配置される。
【００１２】
本考案の一つの好ましい実施例によると、前記磁石はアーク型である。
【００１３】
本考案の一つの好ましい実施例によると、前記アーク状磁石の弧長はほぼ１／２〜２／３円周である。
【００１４】
本考案の一つの好ましい実施例によると、前記加熱装置のそばに一つのサーモスタットが設置される。
【００１５】
本考案の一つの好ましい実施例によると、前記磁石はリング状である。
【００１６】
作用
本考案は一種類の自動的にカップの見分けることができるコーヒーポットを提供する。一方、同一の加熱装置を利用して、コーヒー入れに必要の湯と、非保温カップ内に装われたコーヒーを加熱させ、コーヒーの温度を保持することによって、コストを減らすことができる。また、磁気感知装置を設置され、保温カップと非保温カップを見分けるのができる。磁気感知の方式を採用されることによって、磁気感知装置は保温カップと非保温カップのカップ本体に直接に接触する必要がないので、磁気感知装置はコーヒーポットのケースに隠して、コーヒーポット洗いの不便を解決して、外観にも影響を及ぼさない。
【００１７】
図１Ａ、１Ｂと図１Ｃのように、別々に本考案の一つの好ましい実施例のカップを見分けることができるコーヒーポットの立体概略図、側面の断面図と一部の立体分解図をしめす。コーヒーポット１００には支え装置１１０と、入れ装置１２０と、加熱装置１３０と、磁石１４２の有す保温カップ１４０と、磁気感知装置１５０と制御装置１６０を具備される。そのなかに、前記支え装置１１０は一つのカップを支える役を果たす、たとえば、保温カップ１４０（熱絶縁型の材料からできる）あるいは非保温カップ１４４（非熱絶縁型の材料からできる）。入れ装置１２０は前記支え装置１１０のうえに整備されて、そのなかに、入れ装置１２０はコーヒー入れに使われる。加熱装置１３０は前記入れ装置１２０に必要の湯を提供する。水箱１０２内の水は管路１０４を通して、入れ装置１２０に輸送すると同時に、加熱装置１３０は管路１０４と近接することによって、管路１０４にある水を湯に沸かさせたあと、入れ装置１２０に輸送して、コーヒーの粉に湯を入れて、コーヒーになる。本考案の一つの特徴として、加熱装置１３０は入れ装置１２０に輸送する湯をわかせたうえに、加熱装置１３０は支え装置１１０のなかに配置され、それに保温板１１２にも近接することによって、同時に保温板１１２のうえにあるカップを加熱することができる。本実施例には、加熱装置１３０のそばにはサーモスタット１３２が設置され、加熱装置１３０の温度を感知して、そして加熱装置１３０の電源を切る、あるいは入るのを制御して、加熱装置１３０の温度は幅内に保持させる。そのほかに、本実施例には、磁石１４２のあり保温カップ１４０は可分解的に前記支え装置１１０にある保温板１１２のうえに設置されて、コーヒーポット１００には一つの磁気感知装置１５０が設置され、前記支え装置１１０に放置されたカップは磁石１４２の有す保温カップ１４０かどうかを判断する。それに、一つの制御装置１６０は磁気感知装置１５０と、加熱装置１３０と接続して、前記制御装置１６０は磁気感知装置１５０の合図によって、加熱装置１３０は支え装置１１０の支えるカップに加熱するかどうかをコントロールする。支え装置１１０の支えるカップは磁石１４２の有り保温カップ１４０の場合には、磁気感知装置１５０は保温カップ１４０にある磁石１４２の存在を感知して、一つの合図を制御装置１６０に伝えて、制御装置１６０はその合図によって、サーモスタット１３２に電気を与えず、加熱装置１３０の電気をきって、支え装置１１０の支えるカップに熱を与えない。支え装置１１０の支えるカップは非保温カップ１４４の場合には、磁気感知装置１５０は保温カップ１４４の存在を感知しなくて、そこで、制御装置１６０はサーモスタット１３２に電気を持続的に与えて、加熱装置１３０の電気をきらずに持続的に支え装置１１０の支えるカップに熱を与える。以上のように、加熱装置１３０は選択的に前記支え装置１１０の支えるカップに加熱させる目的を達する。本実施例には、磁気感知装置１５０は一つの配管で、カップの放置された空き間１１４のケースに近接する。図１Ｄと図１Ｅのように、それぞれ本考案の一つの好ましい実施例の保温カップ１４０と非保温カップ１４４の立体概略図をしめす。前記保温カップ１４０は上蓋１４０ａと、防逆ボール１４０ｂと、リング状磁石１４２と、回転カバー１４０ｃと、回転カバーの密封パッキン１４０ｄと、カップの枠組み１４０ｅと、保温カップの密封パッキン１４０ｆと、カップ本体１４０ｇと、手柄のカバー１４０ｈと手柄１４０ｉからなり、図１Ｄに示すように、リング状磁石１４２はカップ本体１４０ｇの上にある上カバー１４０ａと回転カバー１４０ｃの間に設置される。前記非保温カップは図１Ｅのように、蓋１４４ａと、カップの枠組み１４４ｂと、保温カップの密封パッキン１４４ｃと、カップ本体１４４ｄと手柄１４４ｅからなる。
【００１８】
図１Ａ、２Ａと図２Ｂのように、保温カップ１４０をコーヒーポット１００の開口１１６から通して空き間１１４に放置され、使用者に便利をはかるため、空き間１１４の開口１１６の幅は大体１／２と２／３の円周の間に設計され、使用者は複数の角度から保温カップ１４０を空き間１１４に放置するのができる。本考案もう一つの特長として、保温カップ１４０に設置された磁石１４２を容易に磁気感知装置１５０から感知されたため、本実施例には、磁石１４２はアーク状に設計され、アーク状磁石の弧長の幅は大体１／２と２／３の円周の間に設計され、保温カップ１４０は支え装置１１０の空き間１１４に放置されると、保温カップ１４０の手柄１４０ｉは空き間１１４のオープン１１６に対して少しずれているが、保温カップ１４０に設置された磁石１４２の弧長の長さは十分であるので、磁気感知装置１５０はやはり磁石１４２の存在を感知することができて、制御装置１６０に合図を伝える。もっとも言うべきであるのは、本考案の磁石１４２はアーク状に限定されるものではなく、リング状の磁石も可能であり、磁石１４２の弧長の長さは十分でさえあれば、磁気感知装置１５０は複数の角度からコーヒーポット１００の開口１１６を通して空き間１１４に放置された保温カップ１４０にある磁石１４２の存在を感知するのができる。
【００１９】
以上のように、本考案のなかで、自動的にカップを見分けることができるコーヒーポットには加熱装置が支え装置の保温板の下に設置され、そこで、加熱装置はコーヒー入れに必要な湯を提供するうえに、制御装置にコントロールされることによって、選択的に前記保温板に加熱し、そして、保温板の上に放置されたカップに加熱する。そのほか、コーヒーポットには磁気感知装置を設置され、保温カップの本体にはアーク状の磁石が設置され、いったん保温カップはコーヒーポットの上に放置すると、コーヒーポットの上に配置された磁気感知装置は保温カップの本体にある磁石の存在を感知し、合図を制御装置に伝えて、制御装置は保温板の下にある加熱装置をコントロールして、電気を切る。そこで、本考案はほかのカップの見分けることができるコーヒーポットに比べると、本考案の構造はコストを減らせる以上、コーヒーポット洗いの不便な問題は解決して、外観にも影響を及ぼさない、コンシューマーの実際的の希望にも満足できる。
【００２０】
以上のように、本考案でただ一つの好ましい実施例を開示したが、本考案のデザインアイディアはこれに限定されるものではなく、当業者が、本考案のアイディアと範囲に基づいて色々変更させることは可能であり、それらは本考案の請求項の保護範囲から排除するものではない。
【図面の簡単な説明】
【００２１】
【図１Ａ】本考案の一つの好ましい実施例のカップの見分けることができるコーヒーポットの立体概略図をしめす。
【図１Ｂ】本考案の一つの好ましい実施例のカップの見分けることができるコーヒーポットの側面の断面図をしめす。
【図１Ｃ】本考案の一つの好ましい実施例のカップの見分けることができるコーヒーポットの一部の立体分解図をしめす。
【図１Ｄ】本考案の一つの好ましい実施例の保温カップの立体概略図をしめす。
【図１Ｅ】本考案の一つの好ましい実施例の非保温カップの立体概略図をしめす。
【図２Ａ】本考案の一つの好ましい実施例のカップの見分けることができるコーヒーポットの正面の一部の断面図をしめす。
【図２Ｂ】本考案の一つの好ましい実施例のカップの見分けることができるコーヒーポットの平面の一部の断面図をしめす。
【図１Ａ】
0003145599.tif 000003
【図１Ｂ】
0003145599.tif 000004
【図１Ｃ】
0003145599.tif 000005
【図１Ｄ】
0003145599.tif 000006
【図１Ｅ】
0003145599.tif 000007
【図２Ａ】
0003145599.tif 000008
【図２Ｂ】
0003145599.tif 000009
【手続補正書】
【提出日】平成20年8月13日(2008.8.13)
【手続補正１】
【補正対象書類名】実用新案登録請求の範囲
【補正対象項目名】全文
【補正方法】変更
【補正の内容】
【実用新案登録請求の範囲】
【請求項１】
コーヒーポットには少なくとも、
一つのカップを支えるための一つの支え装置と、
前記支え装置の上に設置され、コーヒーを注入するための一つの注入装置と、
コーヒーを入れる時に、前記注入装置に必要な湯を提供し、場合によっては前記支え装置が支えているカップを加熱させる一つの加熱装置と、
分離可能なように前記支え装置に設置され、一つの磁石を備える一つの保温カップと、
前記保温カップの磁気の存在を感知するための一つの磁気感知装置と、
感知結果によって、前記加熱装置が前記支え装置の支えている前記カップに加熱するかどうかをコントロールし、磁気感知装置と加熱装置を接続する一つの制御装置とを備える、コーヒーポット。
【請求項２】
さらに少なくとも、磁石を持たず、保温することができない一つの非保温カップが分離可能なように前記支え装置に設置されることを特徴とする、請求項１記載のコーヒーポット。
【請求項３】
前記支え装置の中に配置され、前記カップを支える役割を果たす一つの保温板を備えることを特徴とする、請求項２記載のコーヒーポット。
【請求項４】
前記加熱装置は前記保温板の下に配置されることを特徴とする、請求項３記載のコーヒーポット。
【請求項５】
前記支え装置の中に配置され、前記カップを設置する役割を果たす一つの空間があり、空き間の開口の幅はほぼ１／２〜２／３円周であることを特徴とする、請求項４記載のコーヒーポット。
【請求項６】
前記加熱装置は前記支え装置の中に設置されることを特徴とする、請求項２記載のコーヒーポット。
【請求項７】
前記磁石はアーク型であることを特徴とする、請求項１〜６のいずれかに記載のコーヒーポット。
【請求項８】
前記アーク状磁石の弧長はほぼ１／２〜２／３円周であることを特徴とする、請求項７記載のコーヒーポット。
【請求項９】
前記加熱装置の側に一つのサーモスタットが設置されることを特徴とする、請求項８記載のコーヒーポット。
【請求項１０】
前記磁石はリング状であることを特徴とする、請求項７記載のコーヒーポット。